(57)【特許請求の範囲】
【請求項１】
或る通信網を介して転送元端末と通話相手端末との間で行われている通信を、転送先端末と前記通話相手端末との間の通信に変更する為の情報を、前記転送元端末から前記転送先端末に、前記通信網を介さない手段で伝達する伝達ステップと、
前記情報を利用して、前記通信を前記転送先端末と前記通話相手端末との間の通信に変更する変更ステップと、
を有し、
前記情報には、前記転送元端末と前記転送先端末との間でのセッションを確立するための情報が含まれ、前記転送先端末は取得した該情報に基づいて前記転送元端末とセッションを確立すると共に、前記通話相手端末からの転送要求以外の要求に応じないことを特徴とする切替方法。
【請求項２】
請求項１に記載の切替方法であって、
前記転送先端末は、前記通話相手端末から転送要求を受け取ると、該転送要求の転送元が前記セッションを確立した前記転送元端末であることを条件として、該転送要求に応じることを特徴とする切替方法。
【請求項３】
請求項１又は２に記載の切替方法であって、
前記伝達ステップにおける情報の伝達は、前記転送元端末が該情報を表示し、前記転送先端末が、該表示を読み取ることにより行われることを特徴とする切替方法。
【請求項４】
請求項１乃至３の何れか１項に記載の切替方法であって、
前記変更ステップにおいて、前記転送元端末が前記通話相手端末に前記変更を要求することを特徴とする切替方法。
【請求項５】
請求項１乃至４の何れか１項に記載の切替方法であって、
前記変更ステップ実行後、前記通話相手端末と転送元端末との間で行われている通信を終了させることを特徴とする切替方法。
【請求項６】
転送元端末と通話相手端末を含む切替システムであって、
或る通信網を介して転送元端末と通話相手端末との間で行われている通信を、転送先端末と前記通話相手端末との間の通信に変更する為の情報を、前記転送元端末から前記転送先端末に、前記通信網を介さない手段で伝達する伝達手段と、
前記情報を利用して、前記通信を前記転送先端末と前記通話相手端末との間の通信に変更する変更手段と、
を備え、
前記情報には、前記転送元端末と前記転送先端末との間でのセッションを確立するための情報が含まれ、前記転送先端末は取得した該情報に基づいて前記転送元端末とセッションを確立すると共に、前記通話相手端末からの転送要求以外の要求に応じないことを特徴とする切替システム。
【請求項７】
或る通信網と接続される通信端末であって、
或る通信網を介して転送元端末と通話相手端末との間で行われている通信を、当該通信端末と前記通話相手端末との間の通信に変更する為の情報を、前記転送元端末から当該通信端末に、前記通信網を介さない手段で取得する取得手段と、
前記情報を利用して、前記通信を当該通信端末と前記通話相手端末との間の通信に変更する変更手段と、
を有し、
前記情報には、前記転送元端末と当該通信端末との間でのセッションを確立するための情報が含まれ、当該通信端末は取得した該情報に基づいて前記転送元端末とセッションを確立すると共に、前記通話相手端末からの転送要求以外の要求に応じないことを特徴とする通信端末。
【請求項８】
或る通信網と接続される通信端末としてコンピュータを機能させるための通信プログラムであって、前記コンピュータを、
通信端末において、
或る通信網を介して転送元端末と通話相手端末との間で行われている通信を、当該通信端末と前記通話相手端末との間の通信に変更する為の情報を、前記転送元端末から当該通信端末に、前記通信網を介さない手段で取得する取得手段と、
前記情報を利用して、前記通信を当該通信端末と前記通話相手端末との間の通信に変更する変更手段と、
を有し、
前記情報には、前記転送元端末と当該通信端末との間でのセッションを確立するための情報が含まれ、当該通信端末は取得した該情報に基づいて前記転送元端末とセッションを確立すると共に、前記通話相手端末からの転送要求以外の要求に応じない通信端末として機能させることを特徴とする通信プログラム。
【発明の詳細な説明】
【技術分野】
【０００１】
本発明は、通信接続を確立したまま通信端末を切り替えるための、切り替えシステム、切り替え方法及び通信端末並びに通信プログラムに関する。
【背景技術】
【０００２】
携帯電話機等の携帯可能な音声端末が広く普及している。また、中でも近年は多機能型の携帯電話機がスマートフォンと呼ばれ一般的に利用されている。また、オフィスや店舗等でＩＰ（Internet Protocol）に準拠した通信機器を組み合わせて、電話システム等のネットワークを構築するということも行われている。更に、このような電話システムに、上記したスマートフォンを導入することもあり得る（例えば特許文献１参照）。
【０００３】
スマートフォンを導入する際は、スマートフォン向けとして汎用のＳＩＰ（Session Initiation Protocol）電話アプリケーションや、独自に開発されたＳＩＰ電話アプリケーションを利用する。そして、これらアプリケーションにより、オフィス内等で、スマートフォン単体に割り当てられた内線番号に基づいて、一般の内線電話機のようにスマートフォンを使用することができる。
【０００４】
更に、オフィス外でもＷＩＭＡＸ（Worldwide Interoperability for Microwave Access）網や３Ｇ（3rd Generation）ネットワークなどの公衆無線インターネット網を使用し、且つ、オフィスのＩＰ電話交換機の転送コントロールを行うことより、スマートフォンをオフィス内から持ち出した状態で日常の業務などに使用することが可能である。
【先行技術文献】
【特許文献】
【０００５】
【特許文献１】特表２０１１−５０４６３５号公報
【特許文献２】特表２０１１−５０４６３５号公報
【特許文献３】特開２０１１−７１７２６号公報
【発明の概要】
【発明が解決しようとする課題】
【０００６】
上述したようにスマートフォンが利用されるシーンは増えており、加えて、国内外の携帯電話市場でのスマートフォンの急速な普及も相まって、個人所有又は会社支給のスマートフォンをオフィスでも使用したいという要求が強くなっている。
【０００７】
しかしながら一方では、電話機の使い勝手としては従来からオフィスに設置されているビジネス電話機のハンドセットによる通話の方が、なじみがあり使いやすいという意見も多い。
【０００８】
そのため、ビジネス電話機のハンドセットとスマートフォンの何れかで行われている通話を、通話を中断することなく他方へと切り替えて通話を継続する為の技術が求められている。
【０００９】
この点、Ｂｌｕｅｔｏｏｔｈ（ブルートゥース  エスアイジー  インコーポレイテッドの登録商標）等の通信技術により音声信号を送受信することにより、スマートフォンで行われている通話接続を維持しつつ、ビジネス電話機のハンドセットのスピーカやマイクを利用することも考えられる。
【００１０】
しかしながら、このような構成にしてしまうと通話が確立している間、送信元のスマートフォンは通話を継続したままの状態となる。そのため、通話相手との通話を継続するための電力消費に加えて、音声信号をビジネス電話機のハンドセット送受信するための電力消費が発生してしまう。
【００１１】
そこで、本発明は、通話相手端末と転送元端末との間で行われている通話を転送先端末と通話相手端末との間の通話へと切り替える際に、この通話を中断させること無く切り替えることが可能な、切替システム、切替方法及び通信端末並びに通信プログラムを提供することを目的とする。
【課題を解決するための手段】
【００１２】
本発明の第１の観点によれば、或る通信網を介して転送元端末と通話相手端末との間で行われている通信を、転送先端末と前記通話相手端末との間の通信に変更する為の情報を、前記転送元端末から前記転送先端末に、前記通信網を介さない手段で伝達する伝達ステップと、前記情報を利用して、前記通信を前記転送先端末と前記通話相手端末との間の通信に変更する変更ステップと、を有し、前記情報には、前記転送元端末と前記転送先端末との間でのセッションを確立するための情報が含まれ、前記転送先端末は取得した該情報に基づいて前記転送元端末とセッションを確立すると共に、前記通話相手端末からの転送要求以外の要求に応じないことを特徴とする切替方法が提供される。
【００１３】
本発明の第２の観点によれば、転送元端末と通話相手端末を含む切替システムであって、或る通信網を介して転送元端末と通話相手端末との間で行われている通信を、転送先端末と前記通話相手端末との間の通信に変更する為の情報を、前記転送元端末から前記転送先端末に、前記通信網を介さない手段で伝達する伝達手段と、前記情報を利用して、前記通信を前記転送先端末と前記通話相手端末との間の通信に変更する変更手段と、を備え、前記情報には、前記転送元端末と前記転送先端末との間でのセッションを確立するための情報が含まれ、前記転送先端末は取得した該情報に基づいて前記転送元端末とセッションを確立すると共に、前記通話相手端末からの転送要求以外の要求に応じないことを特徴とする切替システムが提供される。
【００１４】
本発明の第３の観点によれば、或る通信網と接続される通信端末であって、或る通信網を介して転送元端末と通話相手端末との間で行われている通信を、当該通信端末と前記通話相手端末との間の通信に変更する為の情報を、前記転送元端末から当該通信端末に、前記通信網を介さない手段で取得する取得手段と、前記情報を利用して、前記通信を当該通信端末と前記通話相手端末との間の通信に変更する変更手段と、を有し、前記情報には、前記転送元端末と当該通信端末との間でのセッションを確立するための情報が含まれ、当該通信端末は取得した該情報に基づいて前記転送元端末とセッションを確立すると共に、前記通話相手端末からの転送要求以外の要求に応じないことを特徴とする通信端末が提供される。
【００１５】
本発明の第４の観点によれば、或る通信網と接続される通信端末としてコンピュータを機能させるための通信プログラムであって、前記コンピュータを、通信端末において、或る通信網を介して転送元端末と通話相手端末との間で行われている通信を、当該通信端末と前記通話相手端末との間の通信に変更する為の情報を、前記転送元端末から当該通信端末に、前記通信網を介さない手段で取得する取得手段と、前記情報を利用して、前記通信を当該通信端末と前記通話相手端末との間の通信に変更する変更手段と、を有し、前記情報には、前記転送元端末と当該通信端末との間でのセッションを確立するための情報が含まれ、当該通信端末は取得した該情報に基づいて前記転送元端末とセッションを確立すると共に、前記通話相手端末からの転送要求以外の要求に応じない通信端末として機能させることを特徴とする通信プログラムが提供される。
【発明の効果】
【００１６】
本発明によれば、通話相手端末と転送元端末との間で行われている通話を転送先端末と通話相手端末との間の通話へと切り替える際に、この通話を中断させること無く切り替えることが可能となる。
【図面の簡単な説明】
【００１７】
【図１】本発明の実施形態全体の基本的構成を表す図である。
【図２】本発明の実施形態におけるスマートデバイス及び本ドッキングステーションの基本的構成を表す図である。
【図３】本発明の実施形態における第１の要求を解決するための実現例を表す図である。
【図４−１】本発明の実施形態における通話の転送を表すシーケンス図（１／３）である。
【図４−２】本発明の実施形態における通話の転送を表すシーケンス図（２／３）である。
【図４−３】本発明の実施形態における通話の転送を表すシーケンス図（３／３）である。
【図４−４】本発明の実施形態における通話の転送を表すシーケンス図（４／４）である。
【図５】本発明の実施形態における第２の要求を解決するための動作を表すフローチャートである。
【図６】本発明の実施形態における第２の要求を解決するための実現例を表す図である。
【図７】本発明の実施形態における第３の要求を解決するための動作を表すフローチャートである。
【図８】本発明の実施形態における第３の要求を解決するための実現例を表す図である。
【発明を実施するための形態】
【００１８】
次に、本発明の実施形態について図面を用いて詳細に説明する。
【００１９】
図１は、本実施形態全体の構成を表す図である。図１を参照すると、ＩＰ電話システム１０００は、スマートデバイス１００、ドッキングステーション本体部２００、ビジネスハンドセット部３００、ＩＰ電話交換機４００、ＵＣ（Unified Communication）サーバ５００、ＰＣ（Personal computer）６００、ＩＰ電話機７００及びデータスイッチ８００を含む。
【００２０】
本実施形態では、ＩＰ電話システム１０００上に導入されたスマートデバイス１００をドッキングステーション（ドッキングステーション本体部２００及びビジネスハンドセット部３００の組）と組み合わせ、使い慣れたビジネス電話機のハンドセット部３００とスマートデバイス１００の間で通話（コール）の共有を実現する。
【００２１】
ここで、図１に表されるＩＰ電話システム１０００は１つの構成例に過ぎず、図１に表される機器の全てが必ずしも存在する必要はない。また、ＩＰ電話システム１０００には他の機器が更に含まれていてもよく、各機器の台数も任意の数であって良い。なお、今回ＩＰ電話システム１０００はユーザが勤務する会社のオフィス内に構築されているものとする。また、以下の説明においてはドッキングステーション本体部２００及びビジネスハンドセット部３００の組合せを、適宜「本ドッキングステーション」と呼ぶ。
【００２２】
スマートデバイス１００、ドッキングステーション本体部２００及びビジネスハンドセット部３００については後述することとし、まずＩＰ電話交換機４００及びＵＣサーバ５００について説明する。
【００２３】
ＩＰ電話交換機４００は、例えばＳＩＰに準拠したＳＩＰサーバにより実現され、ＳＩＰリクエストを処理する。具体的には、ＩＰ電話交換機４００は、ＩＰ電話システム１０００内の機器同士での音声通信である内線通信や、ＩＰ電話システム１０００内の機器とＩＰ電話システム１０００外の機器とでの音声通信である外線通信を中継する役割を果たす。
【００２４】
ＵＣサーバ５００は、インスタントメッセージングやプレゼンス情報、電話、ビデオ会議、コールコントロール及び音声認識サービス等の通信サービスを実現する機能を統合したサーバである。
【００２５】
なお、ＩＰ電話交換機４００及びＵＣサーバ５００はそれぞれが単体の装置により実現されても良いが、ＩＰ電話交換機４００及びＵＣサーバ５００の何れか又は双方が複数の装置により実現されても良い。更に、単一の装置によりＩＰ電話交換機４００及びＵＣサーバ５００の双方を実現しても良い。
【００２６】
なお、本実施形態では、スマートデバイス１００、ドッキングステーション本体部２００、ビジネスハンドセット部３００、ＩＰ電話交換機４００及びＵＣ（Unified Communication）サーバ５００が要旨となるため、ＰＣ（Personal computer）６００、ＩＰ電話機７００及びデータスイッチ８００に関しての説明は省略する。
【００２７】
続いて、図２を参照してスマートデバイス１００、ドッキングステーション本体部２００及びビジネスハンドセット部３００の構成について説明する。
【００２８】
図２を参照すると、スマートデバイス１００は、カメラ１０１及びタッチパネル１０２を含む。また、ドッキングステーション本体部２００は、ＲＦ通信部２０１、カメラ２０２、ＲＡＭ２０３、ＲＯＭ２０４、ＣＰＵ２０５、ディスプレイ２０６、ＵＳＢ（Universal Serial Bus）ユニット２０７、ＵＳＢユニット２０８及びＬＡＮインターフェイス２０９を含む。更に、ビジネスハンドセット部３００は、カメラ３０１、ディスプレイ３０２、操作ボタン３０３及びチャージ部３１０を含む。
【００２９】
スマートデバイス１００は、例えばスマートフォンと呼ばれる多機能型携帯電話機により実現されるが、ＰＨＳ（Personal Handy-phone System）等により実現しても良い。
【００３０】
カメラ１０１は画像を読み取る為に用いられ、解像度等の細かな性能に関して特に制限はない。タッチパネル１０２は表示機能と、操作受付機能の双方を実現する。もっとも、ディスプレイと操作ボタンのように表示機能と、操作受付機能を別々のデバイスにより実現しても良い。スマートデバイス１００は、ＵＳＢケーブル２１０を介してドッキングステーション本体部２００と接続され、これにより充電されることが可能となっている。また、ＵＳＢケーブル２１０を介してドッキングステーション本体部２００とスマートデバイス１００がデータを送受信するようにしても良い。
【００３１】
ＲＦ通信部２０１は、ビジネスハンドセット部３００と無線通信を行うための部分である。通信方式に特に制限は無いが、Ｂｌｕｔｏｏｔｈ規格やＤＥＣＴ（Digital Enhanced Cordless Telecommunications）規格等を採用することができる。もっとも、ビジネスハンドセット部３００は標準的なＩＰ電話機のように有線接続でドッキングステーション本体部２００と接続されていても良い。つまり、ドッキングステーション本体部２００及びビジネスハンドセット部３００はセパレート形式で実現されても良く、一体式となっていても良い。
【００３２】
カメラ２０２は画像を読み取る為に用いられ、解像度等の細かな性能に関して特に制限はない。
【００３３】
ＣＰＵ（Central Processing Unit）２０５は、ＲＯＭ（Read Only Memory）２０４に格納されたソフトウェアを読み出し、ＲＡＭ（Random Access Memory）２０３を利用しながらそのソフトウェアを実行することによりドッキングステーション本体部２００全体を制御する。
【００３４】
ディスプレイ２０６は、画像を表示するための表示装置である。ＵＳＢユニット２０７及びＵＳＢユニット２０８はＵＳＢ規格に準拠しており、ＵＳＢケーブル２１０を介してスマートデバイス１００に給電を行う。また、ＵＳＢユニット２０７及びＵＳＢユニット２０８は充電用の端子としての機能に留まらず、スマートデバイス１００とのドッキングインターフェイスとしての機能も持つ。すなわち、ＵＳＢユニット２０７及びＵＳＢユニット２０８は、ドッキングステーション本体部２００とスマートデバイス１００がデータを送受信するためのインターフェイスとしても動作する。
【００３５】
ＬＡＮインターフェイス２０９は、ＩＰ電話システム１０００に含まれる他の機器と通信を行う為のインターフェイスである。ＬＡＮインターフェイス２０９は、有線のギガビットＬＡＮインターフェイスや無線のＷｉｆｉ（wireless fidelity）インターフェイス等により実現される。
【００３６】
ＵＳＢケーブル２１０は、ＵＳＢ規格に準拠したケーブルである。
【００３７】
なお、本実施形態ではスマートデバイス１００とドッキングステーション本体部２００をＵＳＢに準拠して接続されることを想定している。これはスマートデバイスのデザインは開発メーカーで様々でありリリースされる製品も多いが、バッテリの充電としての機能用途としてはほぼＵＳＢ規格に統一されていることを考慮したものである。もっとも、スマートデバイス１００とドッキングステーション本体部２００の接続はＵＳＢ規格に限定されるものではなく、任意の方式により接続を行って良い。
【００３８】
カメラ３０１は画像を読み取る為に用いられ、解像度等の性能に関して特に制限はない。
【００３９】
ディスプレイ３０２は、ユーザに情報を提示するために用いられる。また、操作ボタン３０３は例えばテンキーを含んでおり、ユーザから電話番号の入力等を受け付ける。
【００４０】
チャージ部３１０はビジネスハンドセット部３００を充電するための充電器である。
【００４１】
本実施形態では、ドッキングステーション本体部２００及びビジネスハンドセット部３００が、オフィスのＩＰ電話システムに導入されたスマートデバイス１００にとって、オフィス内のより使い勝手のよい自然なコミュニケーションを実現する。
【００４２】
ここでオフィスのＩＰ電話システム１０００にスマートデバイス１００を導入する場合は、特にオフィス内での内線コントロールの観点よりスマートデバイス１００にインストール可能な、ＳＩＰプロトコル等により動作するソフトフォンライクな電話機能アプリケーションを組み込む。
【００４３】
なお、ドッキングステーションに関しては、例えば特許文献２にも記載が有る。しかし、特許文献２に記載されているドッキングステーションは、音楽やビデオ動画を再生するメディアプレイヤーに対する拡張性について言及しているものである。すなわち、本実施形態のドッキングステーション本体部２００及びビジネスハンドセット部３００のように、ビジネスハンドセットを含むドッキングステーションの用途や応用例とは根本的に背景が異なる。
【００４４】
続いて、本実施形態の動作について説明する。本実施形態では、スマートデバイス１００をＩＰ電話システム１０００で利用するにあたって生じる以下の３つの要求を満たすことを可能とする。
【００４５】
まず、第１の要求について説明する。オフィス内で着信があった場面で、スマートデバイス１００宛ての着信又はビジネスハンドセット部３００宛ての着信、のどちらの着信についても、ビジネスハンドセット部３００を使用して通話したいという要求がある。これが第１の要求である。
【００４６】
次に、第２の要求について説明する。例えば、オフィス外でスマートデバイス１００を用いて通話開始した通話が継続中であるとする。そして、オフィス外からオフィス内に戻り、スマートデバイス１００を本ドッキングステーションに装着する場面で、現在スマートデバイス１００で通話中の通話をビジネスハンドセット部３００を用いて継続したいという要求がある。これが第２の要求である。
【００４７】
最後に、第３の要求について説明する。オフィスのデスクでビジネスハンドセット部３００を用いて通話しているが、席を立たなければならない時を想定する。この場合、ビジネスハンド部３００を用いた通話をスマートデバイス１００を用いた通話に切り替えて通話を継続したいという要求がある。これが第３の要求である。
【００４８】
これら、３つの要求それぞれを解決する動作について説明する。
【００４９】
図３を参照して、第１の要求を満たす為の処理について説明する。
【００５０】
本処理では、ＩＰ電話システム１０００が構築されているオフィス内に、ユーザに対する着信があった場面において、スマートデバイス１００宛ての着信とビジネスハンドセット部３００宛ての着信のどちらの着信であってもビジネスハンドセット部３００で応答したいという要求を満たす。
【００５１】
現在、スマートデバイス１００はドッキングステーション本体部２００上にあるとする。そして、ドッキングステーション本体部２００は、ＵＳＢユニット２０７又はＵＳＢユニット２０８による充電が開始されたことを契機としてスマートデバイス１００が装着されていることを認識する。なお、充電開始を契機とするのではなく、ドッキングステーション本体部２００にセンサーを追加し、このセンサーによりスマートデバイス１００を検知したことを契機とするようにしても良い。また、ドッキングステーション本体部２００は、任意の方法によりスマートデバイス１００を識別する。例えば、ドッキングステーション本体部２００とスマートデバイス１００とがＵＳＢユニット２０７及びＵＳＢケーブル２１０を介してデータの送受信を行う。そして、このデータ内にスマートデバイス１００を識別する情報を含ませる。これにより、ドッキングステーション本体部２００は、接続された端末がスマートデバイス１００であることを認識する。また、予めスマートデバイス１００を接続する専用のＵＳＢユニットや専用の接続用ソケットを定めておいても良い。そして、この定めた専用のＵＳＢユニットや専用の接続用ソケットに機器の接続があった場合に、データを送受信することなく、スマートデバイス１００が接続されたものと認識しても良い。なお、本実施形態のドッキングステーション本体部２００やスマートデバイス１００は、接続時に転送先の機器がどの機器であるか識別した後、識別情報に基づいてＩＰ電話交換機４００やＵＣサーバ５００に問い合わせることにより転送先のＵＲＩ又はＩＰアドレスを取得することも可能である。
【００５２】
そして、スマートデバイス１００が装着されていることを認識したドッキングステーション本体部２００は、その旨をＩＰ電話交換機４００やＵＣサーバ５００に通知する。
【００５３】
この通知により、ＩＰ電話システム１０００内のＩＰ電話交換機４００やＵＣサーバ５００は、ドッキングステーション本体部２００へスマートデバイス１００が装着されたことを確認する。ＩＰ電話交換機４００及びＵＣサーバ５００が確認した後は、スマートデバイス１００上のアプリケーションに対する着信が、本ドッキングステーション側のビジネスハンドセット部３００へと送られる。
【００５４】
そして、本ドッキングステーション側のビジネスハンドセット部３００を鳴動させ、ビジネスハンドセット部３００による通話を実現する。
【００５５】
この処理は、ＩＰ電話交換機４００やＵＣサーバ５００による鳴り分け処理を利用して種々の方法により実現することができる。例えば、ドッキングステーション本体部２００が、本ドッキングステーションにスマートデバイス１００が装着された旨の通知として、コンタクトアドレスの登録依頼であるＲＥＧＩＳＴＥＲメッセージと、スマートデバイス１００のＳＩＰ  ＵＲＩ(Uniform Resource Identifier)と、本ドッキングステーションに割り当てられているＩＰアドレスとを送信する。
【００５６】
そして、ＩＰ電話交換機４００又はＵＣサーバ５００の内、登録サーバとしての機能を有する装置がスマートデバイス１００のＳＩＰ  ＵＲＩと本ドッキングステーションに割り当てられているＩＰアドレスとの組をコンタクトアドレスとしてロケーションサーバへと登録する。これにより、それ以降スマートデバイス１００のＳＩＰ  ＵＲＩ宛ての着信は、ビジネスハンドセット部３００に転送されることとなる。なお、ＩＰ電話交換機４００又はＵＣサーバ５００が予めスマートデバイス１００及び本ドッキングステーションの、ＳＩＰ  ＵＲＩ及びＩＰアドレスを管理しておくようにしても良い。そして、ドッキングステーション本体部２００は、本ドッキングステーションにスマートデバイス１００が装着された旨の通知のみを行うようにしても良い。この場合、通知を受けたＩＰ電話交換機４００又はＵＣサーバ５００が、スマートデバイス１００のＳＩＰ  ＵＲＩと本ドッキングステーションに割り当てられているＩＰアドレスとの組をコンタクトアドレスとして登録する。また、ロケーションサーバの機能はＩＰ電話交換機４００又はＵＣサーバ５００が有していても良いが、他の装置が有していても良い。
【００５７】
更に、ドッキングステーション本体部２００が通知を行うのではなく、スマートデバイス１００がＩＰ電話交換機４００又はＵＣサーバ５００に通知を行うようにしても良い。
【００５８】
これによりスマートデバイス１００が本ドッキングステーションに装着されている際は、スマートデバイス宛の着信に対して、ビジネスハンドセット部３００を使用することが可能となる。
【００５９】
続いて、第２の要求を満たすための処理及び第３の要求を満たす為の処理の説明をするに先立って、ＳＩＰに準拠した通話において、ＳＩＰセッションを共有する手段について説明する。共有のためには、スマートデバイス１００又は本ドッキングステーションが、例えばＩＥＴＦ（Internet Engineering Task Force）が策定したＲＦＣ３２６１で規定されている標準化技術に従って、セッションを確立する。
【００６０】
更に、本実施形態では、セッションの確立に並行して、ＩＰ電話交換機４００やＵＣサーバ５００が協働してセッション情報を取得する。
【００６１】
このセッション情報の取得は、スマートデバイス１００、ＩＰ電話交換機４００及びＵＣサーバ５００を連携させるための連携アプリケーションが、ＣＡＬＬ−ＩＤ適用によるＳＩＰセッションの特定や、Ｃｏｏｋｉｅ情報によるＨＴＴＰセッションの特定を行うことにより実現される。具体的には、スマートデバイス１００や本ドッキングステーションは、ＵＣサーバ５００との連携によりＨＴＴＰセッション情報を取得する。また、ＵＣサーバ５００はＩＰ電話交換機４００とＣＡＬＬ−ＩＤ情報を共有している。そのため、スマートデバイス１００や本ドッキングステーションは、ＵＣサーバ５００との連携によりＳＩＰセッション情報を取得することもできる。
【００６２】
これらの情報は２次元コードに変換処理され、ドッキングステーション２００のディスプレイ２０６やスマートデバイス１００のタッチパネル１０２に表示される。そして、ドッキングステーション２００のカメラ部２０２又はスマートデバイス１００のカメラ１０１で２次元コードを読み取り、セッションを転送させる。これによりスマートデバイス１００又は本ドッキングステーションのハンドセット部３００の何れかから他方に通話を中断させることなく、通話の切り替えを行うことを実現する。このようなセッション情報の取得については、その一例が引用文献３に記載されている。
【００６３】
続いて、図４−１乃至図４−４のシーケンス図を参照して本実施形態における転送処理について説明をする。図４−１乃至図４−４においては、Ａは通話相手端末であり、図６に表される通話相手ＩＰ電話機９００であるとする。また、Ｂは、転送元端末であるスマートデバイス１００又はビジネスハンドセット部３００であるとする。更にＣは、転送先端末であり、スマートデバイス１００又はビジネスハンドセット部３００の何れかであって転送元端末ではない方であるとする。今回ＩＰ電話交換機４００は、プロキシサーバとして機能し、各端末間の通信を中継する役割を果たす。つまり、ＡＢ間や、ＢＣ間には図示を省略してはいるがＩＰ電話交換機４００が存在し、各通信を中継している。
【００６４】
図４−１のＦ１〜Ｆ４は通話のシーケンスを示したものである。通話相手端末Ａが発信元であるとして、Ｆ１〜Ｆ４を具体的に説明すると、
Ｆ１：発信元である通話相手端末Ａから転送元端末Ｂにセッションを開始する要求（ＩＮＶＩＴＥ）が送られる
Ｆ２：転送元端末Ｂから発信元である通話相手端末Ａに、今呼び出し中である（電話ならベルが鳴ってる！）ことを知らせる（１８０  Ｒｉｎｇｉｎｇ）
Ｆ３：転送元端末Ｂから発信元である通話相手端末Ａに、セッション開始要求を受け入れたことを知らせる（２００  ＯＫ）
Ｆ４：発信元である通話相手端末Ａから転送元端末Ｂに、２００ＯＫ応答を受け取ったことを通知（ＡＣＫ）する。
【００６５】
なお、転送元端末Ｂを発信元としてもよく、この場合には、Ｆ１〜Ｆ４において、通話相手端末Ａと転送元端末Ｂとの間でやりとりされるメッセージの伝送方向は逆になる。
【００６６】
Ｆ１〜Ｆ４により通話相手端末Ａと転送元端末Ｂへとの間のＲＴＰ(Real-time Transmission Protocol)による通話が確立される(Both Way RTP Media)。
【００６７】
Ｆ５〜Ｆ２７は、転送元端末Ｂより転送先端末Ｃへ通話を転送する際のシーケンスを表す。Ｆ５〜Ｆ２７は、例えば転送元端末Ｂの２次元コード表示ボタンが押下されたことをトリガにして開始される。
【００６８】
まず、Ｆ５〜Ｆ７は、通話相手端末Ａと転送元端末Ｂで実行されるプロセスの一例であり、
Ｆ５：転送元端末Ｂから通話相手端末Ａに通話を保留する要求（ＩＮＶＩＴＥ（ＨＯＬＤ））が送られる
Ｆ６：通話相手端末Ａから転送元端末Ｂに、通話を保留する要求を受け入れたことを知らせる（２００  ＯＫ）
Ｆ７：転送元端末Ｂから通話相手端末Ａに、２００  ＯＫ応答を受け取ったことを通知（ＡＣＫ）する。
【００６９】
これにより、通話相手端末Ａと転送元端末Ｂとでセッションが確立したまま、通話が保留状態となる。
【００７０】
また、Ｆ５〜Ｆ７と同時に、図４−２のＦ８〜Ｆ１４のプロセス相当の情報が２次元データ化されてセッションとして転送元端末Ｂディスプレイに表示される。そして、表示された内容は２次元コード化され、転送先端末Ｃにより読み取られる。具体的には、
Ｆ８：転送元端末Ｂから転送先端末Ｃにセッションを開始する要求（ＩＮＶＩＴＥ）が送られる
Ｆ９：転送先端末Ｃから転送元端末Ｂに、今呼び出し中であることを知らせる（１８０  Ｒｉｎｇｉｎｇ）
Ｆ１０：転送先端末Ｃから転送元端末Ｂに、セッション開始要求を受け入れたことを知らせる（２００  ＯＫ）
Ｆ１１：転送元端末Ｂから転送先端末Ｃに、２００  ＯＫ応答を受け取ったことを通知（ＡＣＫ）する。
Ｆ１２：転送元端末Ｂから転送先端末Ｃに通話を保留する要求（ＩＮＶＩＴＥ（ＨＯＬＤ））が送られる
Ｆ１３：転送先端末Ｃから転送元端末Ｂに、通話を保留する要求を受け入れたことを知らせる（２００  ＯＫ）
Ｆ１４：転送元端末Ｂから転送先端末Ｃに、２００  ＯＫ応答を受け取ったことを通知（ＡＣＫ）する。
【００７１】
これにより、転送元端末Ｂと転送先端末Ｃとでセッションが確立したまま、通話が保留状態となる。このように、予め転送元端末Ｂと転送先端末Ｃとでセッションが確立し保留状態としておくことによって、転送先端末Ｃには通話相手端末Ａからの転送以外の呼び出しに応答することを禁止させる。そのため、後述する通話相手端末Ａからの転送が行われる以前に、転送先端末Ｃが通話相手端末Ａや転送元端末Ｂ以外の端末とセッションを確立することを防止できる。これにより本実施形態では、後述する通話相手端末Ａからの転送が確実に実行できるという効果を奏する。
【００７２】
その後、転送先端末Ｃが２次元コードを受信したことをトリガとして、転送元端末ＢによるＦ１５〜Ｆ２１のプロセスにより転送先端末Ｃに通話相手端末Ａとの通話が受け渡され、Ｆ２２以降で転送先端末Ｃおよび通話相手端末Ａより転送元端末Ｂとの通話が切断される。
Ｆ１５：転送元端末Ｂは、通話相手端末Ａに対して、転送先端末Ｃへのコールを行うように要求する（ＲＥＦＥＲ  Ｒｅｆｅｒ−Ｔｏ：Ｃ）。
Ｆ１６：通話相手端末Ａは、転送元端末Ｂに対して、要求を受理した旨（２０２  Ａｃｃｅｐｔｅｄ）を返信する。
Ｆ１７：通話相手端末Ａは、転送元端末Ｂに対して、ＮＯＴＩＦＹリクエストを送信してＦ１５における要求に関しての処理状態を通知する。今回は、通話相手端末Ａと転送先端末Ｃとの通話は未だ確立していない旨を通知する。
Ｆ１８：ＮＯＴＩＦＹリクエストを確認した転送元端末Ｂは、通話相手端末Ａに対して、２００  ＯＫ応答を返却する。
Ｆ１９：通話相手端末Ａは、転送先端末Ｃに対して、通話相手端末Ａと転送元端末Ｂとの間の通話を転送する旨を送信する（Ｒｅｐｌａｃｅｓ：Ｂ）。Ｆ１９のメッセージを受けたＣは、Ｆ８〜Ｆ１４でＢのＵＲＩを受け取っているので、Ｉｎｖｉｔｅ  ｒｅｐｌａｃｅ：Ｂ中の”Ｂ”との一致を確認して、ｒｅｐｌａｃｅ（転送）をａｃｃｅｐｔする（転送要求を受け付ける）。従って、Ｃは、メッセージの送信元がＡであるから転送要求を受け付けるのではなく、転送元がＢであるから転送要求を受け付けるのである。
Ｆ２０：転送先端末Ｃから通話相手端末Ａに、２００  ＯＫ応答を返信する。
Ｆ２１：通話相手端末Ａから転送先端末Ｃに、２００  ＯＫ応答を受け取ったことを通知（ＡＣＫ）する。これにより、通話相手端末Ａと転送先端末Ｃとの間で通話が確立する。
Ｆ２２：転送先端末Ｃから転送元端末Ｂに対して、通話切断する旨を返却する（ＢＹＥ）。
Ｆ２３：転送元端末Ｂから転送先端末Ｃに対して、２００  ＯＫ応答を返信する。
Ｆ２４：通話相手端末Ａは、転送元端末Ｂに対して、ＮＯＴＩＦＹリクエストを送信して、通話相手端末Ａと転送先端末Ｃとの通話が確立した旨を通知する。
Ｆ２５：転送元端末Ｂから通話相手端末Ａに対して、２００  ＯＫ応答を返信する。
Ｆ２６：通話相手端末Ａから転送元端末Ｂに対して、通話切断する旨を返却する（ＢＹＥ）。
Ｆ２７：転送元端末Ｂから通話相手端末Ａに対して、２００  ＯＫ応答を返信する。
【００７３】
これにより、転送先端末Ｃに通話相手端末Ａとの通話が受け渡され、転送先端末Ｃおよび通話相手端末Ａより転送元端末Ｂとの通話が切断される。ただし、Ｆ２１までで処理を終了し、通話相手端末Ａより転送元端末Ｂとの通話を継続したままとするようにしても良い。
【００７４】
また、本実施形態では以上説明した図４−３に表されるシーケンスに代えて、図４−４に表されるシーケンスを実行するようにしてもよい。この場合図４−１及び図４−２のＦ１〜Ｆ１５までは図４−３に表されるシーケンスを実行する場合と同様である。
【００７５】
もっとも、図４−４に表されるシーケンスを実行する場合は、２次元コードに含ませる情報を更に多くする。具体的には図４−４に表される、
Ｆ３０：インスタントメッセージ（Instant Messaging）を送信する（ＭＥＳＳＡＧＥ）。このインスタントメッセージには通話相手端末Ａを特定する為の情報が含まれる。そして、転送先端末Ｃは、このインスタントメッセージを解析することにより通話相手端末Ａを特定する。
Ｆ３１：転送先端末Ｃは、インスタントメッセージを受け取った応答として２００  ＯＫ応答をする。
という２つの処理に相当する情報を２次元コードに含ませる。そして、転送先端末Ｃは２次元コードを読み取る。
【００７６】
次に、２次元コードを読み取った後の処理について説明する。
Ｆ３２：転送先端末Ｃは通話相手端末Ａに対して、通話相手端末Ａと転送元端末Ｂとの間での通話を転送するように要求する（ＩＮＶＩＴＥ  Ｒｅｐｌａｃｅｓ：Ａ−Ｂ）
Ｆ３３：通話相手端末ＡはＩＮＶＩＴＥ  Ｒｅｐｌａｃｅｓ：Ａ−Ｂの応答として２００  ＯＫ応答をする。
Ｆ３４：転送先端末Ｃは通話相手端末Ａに対してＡＣＫを返信する。ＡＣＫの到着により通話相手端末Ａと転送先端末Ｃの間で通話が可能となる。
Ｆ３５：通話相手端末Ａは転送元端末Ｂに対してＢＹＥを送信する。
Ｆ３６：転送元端末Ｂは、ＢＹＥを受け取った応答として２００  ＯＫ応答をする。これにより通話相手端末Ａと転送元端末Ｂの間の通話は終話する。
【００７７】
上述の説明においては、ＩＰ電話交換機４００はプロキシサーバとして動作している。このＩＰ電話交換機４００が通話を転送するようにしても良い。この場合Ｆ１４までの処理を行い、その後転送先端末Ｃにて２次元コードが読み取られる。
【００７８】
転送先端末Ｃは、読み取った２次元コードに基づき、通話相手端末Ａと転送元端末Ｂ間のセッションのセッションＩＤ、転送先端末ＣのＩＤ又はＵＲＬ、通話相手端末ＡのＩＤ又はＵＲＬ、をＩＰ電話交換機４００に送信する。
【００７９】
ＩＰ電話交換機４００は転送要求を受け取ると書き換えを行う。具体的には、通話相手端末Ａと転送元端末Ｂ間のセッションのセッションＩＤに基づき、このセッションにおける転送元端末ＢのＩＤ又はＵＲＬを通話相手端末ＡのＩＤ又はＵＲＬに書き換える。これにより、このセッションは通話相手端末Ａと転送先端末Ｃにて継続される。
【００８０】
以上、具体的な例を用いて説明したが、ＨＴＴＰセッションやＳＩＰセッションの共有に関する細かい内容自体は本実施形態の本質的部分ではなく、スマートデバイス１００と本ドッキングステーションのビジネスハンドセット部３００間での使い分けをスムースに行うことが本実施形態の本質的部分である。従って、各セッションの取得方法やＵＣサーバ５００及びＩＰ電話交換機４００との連携について上述したが、このセッションの取得や連携を提供するために必要な具体的手段はこの上述した方式に限定されず、任意の方式により実現して良い。
【００８１】
続いて、図５及び図６を参照して、第２の要求を満たす為の処理について説明する。
【００８２】
図５は第２の要求を満たす為の処理を表すフロー図、図６は第２の要求を満たす為の処理の実現例を示したものである。
【００８３】
本処理では、自分のオフィスに戻った際、スマートデバイス１００を本ドッキングステーションに装着する場面で、スマートデバイス１００で通話している通話をビジネスハンドセット部３００で継続したい、という要求を満足させる。
【００８４】
図５を参照すると、まず、スマートデバイス１００を使用して通話が開始される（ステップＳ３１）。このステップＳ３１を実現するために図４−１のＡを通話相手ＩＰ電話機９００、Ｂをスマートデバイス１００としてＦ１〜Ｆ４が行われる。
【００８５】
ビジネスハンドセット部３００に切り替えて通話を継続しない場合は（ステップＳ３２においてＮｏ）、そのまま通話を継続する（ステップＳ３８）。
【００８６】
一方、ビジネスハンドセット部３００に切り替えて通話を継続する場合は（ステップＳ３２においてＹｅｓ）、スマートデバイス１００のタッチパネル１０２上の所定のボタンをタッチして、セッション情報を生成する（ステップＳ３３）。このステップＳ３３を実現するために図４−１のＡを通話相手ＩＰ電話機９００、Ｂをスマートデバイス１００としてＦ５〜Ｆ７が行われる。また、図４−３のシーケンスを実行する場合は、更にＣをビジネスハンドセット部３００とし、スマートデバイス１００がＵＣサーバ５００及びＩＰ電話機４００と連携することにより図４−２のＦ８〜Ｆ１４に相当する情報であるセッション情報が生成される。また、図４−４のシーケンスを実行する場合は、Ｆ３０及びＦ３１が行われる。
【００８７】
そして、スマートデバイス１００のタッチパネル１０２上にセッション情報を表した２次元データを表示する（ステップＳ３４）。ドッキングステーション本体部２００のカメラ２０２で２次元データを読み取る（ステップＳ３５）。
【００８８】
通常であれば、Ｆ１１とＦ１２の間のＲＴＰ通信で、転送に必要な情報が転送元端末Ｂと転送先端末Ｃとの間でやり取りされるが、本発明の実施形態では、Ｆ８〜Ｆ１４は行なわずに、転送に必要な情報は、転送元端末Ｂの画面に二次元バーコードの形態で表示され、転送先端末Ｃのカメラにより読み取られる。
【００８９】
そして、転送が行われビジネスハンドセット部３００で通話を継続できる状態となるまで待機をする（ステップＳ３６においてＮｏ）。
【００９０】
ビジネスハンドセット部３００で通話を継続できる状態となった場合は（ステップＳ３６においてＹｅｓ）、ステップＳ３６においてＹｅｓを実現するために図４−３のシーケンスを実行する場合は、Ａを通話相手ＩＰ電話機９００、Ｂをスマートデバイス１００、Ｃをビジネスハンドセット部３００としてＦ１５〜Ｆ２１が行われる。図４−４のシーケンスを実行する場合は、ステップＳ３６においてＹｅｓを実現するために図４−４のＦ３２〜Ｆ３４が行われる。
【００９１】
スマートデバイス１００での通話を終話し、スマートデバイス１００をドッキングステーション本体部２００に装着する（ステップＳ３７）。ステップＳ３７において通話を終話するために図４−３のシーケンスを実行する場合は、Ａを通話相手ＩＰ電話機９００、Ｂをスマートデバイス１００、Ｃをビジネスハンドセット部３００としてＦ２２〜Ｆ２７が行われる。図４−４のシーケンスを実行する場合は、図４−４のＦ３５〜Ｆ３６が行われる。
【００９２】
その後はビジネスハンドセット部３００にて通話を継続する（ステップＳ３８）。
【００９３】
次に、図６を参照して実現例について説明する。
（１）まず、スマートデバイス１００のタッチパネル１０２上に選択画面が表示される。
（２）今回は、所定のキーとしてＳキーが実装される。そして、このＳキーをプッシュすることにより通話セッション情報が二次元コード化して表示される。
（３）ドッキングステーション本体部２００のカメラ２０２でスマートデバイス１００のタッチパネル１０２上に表示されている二次元コードが読み取られＵＣサーバ５００とドッキングステーション本体部２００が連携することにより通話セッションがビジネスハンドセット部３００に引き継がれる。
（４）ビジネスハンドセット部３００での通話が確認できた場合スマートデバイス１００はドッキングステーション本体部２００に装着される。
【００９４】
続いて、図７及び図８を参照して、第３の要求を満たす為の処理について説明する。
【００９５】
図７は第３の要求を満たす為の処理を表すフロー図、図８は第３の要求を満たす為の処理の実現例を示したものである。
【００９６】
本処理では、オフィスでビジネスハンドセット部３００にて通話しているが、席を立たなければならない時にビジネスハンドセット部３００からスマートデバイス１００に切り替えて通話を継続したい、という要求を満足させる。
【００９７】
ドッキングステーション本体部２００にて２次元コード化したセッション情報をスマートデバイス１００のカメラ１０１で読み取ることにより、スマートデバイス１００で通話を継続することを実現する。
【００９８】
図７を参照すると、まず、ビジネスハンドセット部３００を使用して通話が開始される（ステップＳ４１）。このステップＳ４１を実現するために図４−１のＡを通話相手ＩＰ電話機９００、Ｂをビジネスハンドセット部３００としてＦ１〜Ｆ４が行われる。
【００９９】
スマートデバイス１００に切り替えて通話を継続しない場合は（ステップＳ４２においてＮｏ）、そのまま通話を継続する（ステップＳ４９）。
【０１００】
一方、スマートデバイス１００に切り替えて通話を継続する場合は（ステップＳ４２においてＹｅｓ）、本ドッキングステーション上の所定のボタンをタッチして、セッション情報を生成する（ステップＳ４３）。このステップＳ４３を実現するために図４−１のＡを通話相手ＩＰ電話機９００、Ｂを本ドッキングステーションとしてＦ５〜Ｆ７が行われる。
【０１０１】
また、図４−３のシーケンスを実行する場合は、更にＣをスマートデバイス１００とし、本ドッキングステーションがＵＣサーバ５００及びＩＰ電話機４００と連携することにより図４−２のＦ８〜Ｆ１４に相当する情報であるセッション情報が生成される。また、図４−４のシーケンスを実行する場合は、Ｆ３０及びＦ３１が行われる。
【０１０２】
そして、本ドッキングステーションのディスプレイ２０６やディスプレイ３０２上にセッション情報を表した２次元データを表示する（ステップＳ４４）。その後、スマートデバイス１００をドッキングステーション本体部２００から取り外す（ステップＳ４５）。スマートデバイス１００のカメラ１０１で２次元データを読み取る（ステップＳ４６）。
【０１０３】
そして、転送が行われスマートデバイス１００で通話を継続できる状態となるまで待機をする（ステップＳ４７においてＮｏ）。ステップＳ４７においてＹｅｓを実現するために図４−３のシーケンスを実行する場合は、Ａを通話相手ＩＰ電話機９００、Ｂを本ドッキングステーション、Ｃをスマートデバイス１００としてＦ１５〜Ｆ２１が行われる。図４−４のシーケンスを実行する場合は、ステップＳ３６においてＹｅｓを実現するために図４−４のＦ３２〜Ｆ３４が行われる。
【０１０４】
スマートデバイス１００で通話を継続できる状態となった場合は（ステップＳ４７においてＹｅｓ）。ビジネスハンドセット部３００での通話を終話する（ステップＳ４８）。ステップＳ４８において通話を終話するために図４−３のシーケンスを実行する場合は、Ａを通話相手ＩＰ電話機９００、Ｂをビジネスハンドセット部３００、Ｃをスマートデバイス１００としてＦ２２〜Ｆ２７が行われる。図４−４のシーケンスを実行する場合は、図４−４のＦ３５〜Ｆ３６が行われる。
【０１０５】
その後はスマートデバイス１００にて通話を継続する（ステップＳ４８）。
【０１０６】
次に、図８を参照して実現例について説明する。
（１）スマートデバイス１００のカメラ１０１にて本ドッキングステーション上の２次元コードを読み取る。
（２）スマートデバイス１００のタッチパネル１０２上に表示された通話を継続する旨のボタンをユーザが押下することによりスマートデバイス１００に通話が切り替えられ、通話が継続する。
【０１０７】
以上説明した本実施形態によればスマートデバイス１００とビジネスハンドセット部３００という２つの端末が通話中の音声を送受信することなく、２つの端末の内の一方で行われている通話を他方に切り替えて継続することが可能となる。
【０１０８】
なお、上述の説明では「通話を継続」、「通話を切り替える」等の表現により、通話なる文言を用いて説明したが、これは、本実施形態の適用範囲を音声の送受信のみに限定する趣旨ではない。本実施形態では、セッションの確立を維持することが要旨である。よってセッションが確立された後や、切り替えが行われた後に送受信される情報は音声信号に限られず、例えば動画像が送受信されていても良い。
【０１０９】
なお、上記のスマートデバイス１００、ドッキングステーション本体部２００、ビジネスハンドセット部３００、ＩＰ電話交換機４００及びＵＣサーバ５００は、ハードウェア、ソフトウェア又はこれらの組み合わせにより実現することができる。また、上記のスマートデバイス１００、ドッキングステーション本体部２００、ビジネスハンドセット部３００、ＩＰ電話交換機４００及びＵＣサーバ５００により行なわれる切り替え方法も、ハードウェア、ソフトウェア又はこれらの組み合わせにより実現することができる。ここで、ソフトウェアによって実現されるとは、コンピュータがプログラムを読み込んで実行することにより実現されることを意味する。
【０１１０】
プログラムは、様々なタイプの非一時的なコンピュータ可読媒体(non-transitory computer readable medium)を用いて格納され、コンピュータに供給することができる。非一時的なコンピュータ可読媒体は、様々なタイプの実体のある記録媒体(tangible storage medium)を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ(Read Only Memory)、ＣＤ−Ｒ、ＣＤ−Ｒ／Ｗ、半導体メモリ（例えば、マスクＲＯＭ、ＰＲＯＭ(Programmable ROM)、ＥＰＲＯＭ(Erasable PROM)、フラッシュＲＯＭ、ＲＡＭ(random access memory)）を含む。また、プログラムは、様々なタイプの一時的なコンピュータ可読媒体(transitory computer readable medium)によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１１１】
また、上述した実施形態は、本発明の好適な実施形態ではあるが、上記実施形態のみに本発明の範囲を限定するものではなく、本発明の要旨を逸脱しない範囲において種々の変更を施した形態での実施が可能である。
【０１１２】
上記の実施形態の一部又は全部は、以下の付記のようにも記載されうるが、以下には限られない。
【０１１３】
（付記１）  或る通信網を介して転送元端末と通話相手端末との間で行われている通信を、転送先端末と前記通話相手端末との間の通信に変更する為の情報を、前記転送元端末から前記転送先端末に、前記通信網を介さない手段で伝達する伝達ステップと、
前記情報を利用して、前記通信を前記転送先端末と前記通話相手端末との間の通信に変更する変更ステップと、
を有することを特徴とする切替方法。
【０１１４】
（付記２）  付記１に記載の切替方法であって、
前記伝達ステップにおける情報の伝達は、前記転送元端末が該情報を表示し、前記転送先端末が、該表示を読み取ることにより行われることを特徴とする切替方法。
【０１１５】
（付記３）  付記１又は２に記載の切替方法であって、
前記情報には、前記転送元端末と前記転送先端末との間でのセッションを確立するための情報が含まれ、該情報を取得して前記転送元を前記転送元端末とする転送要求以外の転送要求に応答しないことを特徴とする切替方法。
【０１１６】
（付記４）  付記３に記載の切替方法であって、
前記変更ステップにおいて、前記転送元端末が前記通話相手端末に前記変更を要求することを特徴とする切替方法。
【０１１７】
（付記５）  付記１又は２に記載の切替方法であって、
前記情報には、前記通話相手端末の識別情報が含まれ、
前記変更ステップにおいて、前記転送先端末が、前記通話相手端末の前記識別情報を用いて、前記通話相手端末に前記変更を要求することを特徴とする切替方法。
【０１１８】
（付記６）  付記１又は２に記載の切替方法であって、
前記変更ステップは、前記転送先端末が、通信を介在する交換機に対して、該交換機が保持している前記転送元端末と前記通話相手端末とを関連づけている情報を、前記転送先端末と前記通話相手端末とを関連づける情報に書き替える書替えを要求し、前記交換機が前記書替えをする、という動作を含むことを特徴とする切替方法。
【０１１９】
（付記７）  付記１乃至６の何れか１に記載の切替方法であって、
前記変更ステップ実行後、前記通話相手端末と転送元端末との間で行われている通信を終了させることを特徴とする切替方法。
【０１２０】
（付記８）  転送元端末と通話相手端末を含む切替システムであって、
或る通信網を介して転送元端末と通話相手端末との間で行われている通信を、通話先端末と前記通話相手端末との間の通信に変更する為の情報を、前記転送元端末から前記転送先端末に、前記通信網を介さない手段で伝達する伝達手段と、
前記情報を利用して、前記通信を前記転送先端末と前記通話相手端末との間の通信に変更する変更手段と、
を備えることを特徴とする切替システム。
【０１２１】
（付記９）  或る通信網と接続される通信端末であって、
或る通信網を介して転送元端末と通話相手端末との間で行われている通信を、通話先端末と前記通話相手端末との間の通信に変更する為の情報を、前記転送元端末から前記転送先端末に、前記通信網を介さない手段で取得する取得手段と、
前記情報を利用して、前記通信を当該通信端末と前記通話相手端末との間の通信に変更する変更手段と、
を有することを特徴とする通信端末。
【０１２２】
（付記１０）  或る通信網と接続される通信端末としてコンピュータを機能させるための通信プログラムであって、
前記コンピュータを、
或る通信網を介して転送元端末と通話相手端末との間で行われている通信を、通話先端末と前記通話相手端末との間の通信に変更する為の情報を、前記転送元端末から前記転送先端末に、前記通信網を介さない手段で取得する取得手段と、
前記情報を利用して、前記通信を当該通信端末と前記通話相手端末との間の通信に変更する変更手段と、
を有する通信端末として機能させることを特徴とする通信プログラム。
【符号の説明】
【０１２３】
１００  スマートデバイス
１０１  カメラ
１０２  タッチパネル
２００  ドッキングステーション本体部
２０１  ＲＦ通信部
２０２  カメラ
２０３  ＲＡＭ
２０４  ＲＯＭ
２０５  ＣＰＵ
２０６  ディスプレイ
２０７、２０８  ＵＳＢユニット
２０９  ＬＡＮインターフェイス
２１０  ＵＳＢケーブル
３００  ビジネスハンドセット部
３０１  カメラ
３０２  ディスプレイ
３０３  操作ボタン
３１０  チャージ部
４００  ＩＰ電話交換機
５００  ＵＣサーバ
６００  ＰＣ
７００  ＩＰ電話機
８００  データスイッチ
９００  通話相手ＩＰ電話機
１０００  ＩＰ電話システム
【図４−１】
0005599000.tif 000002
【図４−２】
0005599000.tif 000003
【図４−３】
0005599000.tif 000004
【図４−４】
0005599000.tif 000005
【図５】
0005599000.tif 000006
【図７】
0005599000.tif 000007
【図１】
0005599000.tif 000008
【図２】
0005599000.tif 000009
【図３】
0005599000.tif 000010
【図６】
0005599000.tif 000011
【図８】
0005599000.tif 000012